(57)【要約】【課題】意図しない像が観察されることを抑制する。【解決手段】光学シート３０，４０は、一方の側から入射する元像９１からの光Ｌ１の進行方向を変えて他方の側へ透過し、他方の側へ像９２を結像するための光学パネル２０に用いられる光学シート３０，４０であって、配列方向ｄａ，ｄｂに配列され配列方向ｄａ，ｄｂと交差する延在方向に延びる複数の凸部３５，４５を有し、各凸部３５，４５は、元像９１からの光Ｌ１を反射する反射面３６，４６と、反射面３６，４６と対向する対向面３７，４７と、を有し、対向面３７，４７は凹凸面３９，４９を含む。【選択図】図３
2017126032.tif 000002
【特許請求の範囲】
【請求項１】
一方の側から入射する元像からの光の進行方向を変えて他方の側へ透過し、前記他方の側へ像を結像するための光学パネルに用いられる光学シートであって、
配列方向に配列され前記配列方向と交差する延在方向に延びる複数の凸部を有し、各凸部は、前記元像からの光を反射する反射面と、前記反射面と対向する対向面と、を有し、
前記対向面は凹凸面を含む、光学シート。
【請求項２】
前記凹凸面は、前記延在方向に平行な方向に沿って延びる筋状の凹凸を含む、請求項１に記載の光学シート。
【請求項３】
前記筋状の凹凸は、前記対向面上に前記延在方向と交差する方向に規則的に配列されている、請求項２に記載の光学シート。
【請求項４】
前記複数の凸部を支持する支持面を有するベース部をさらに備え、
前記支持面の前記凸部から露出した部分が凹凸面を含む、請求項１〜３のいずれかに記載の光学シート。
【請求項５】
前記支持面の前記凹凸面は、前記延在方向に平行な方向に沿って延びる筋状の凹凸を含む、請求項４に記載の光学シート。
【請求項６】
前記支持面の前記筋状の凹凸は、前記支持面の前記凹凸面内で前記延在方向と交差する方向に規則的に配列されている、請求項５に記載の光学シート。
【請求項７】
一方の側から入射する元像からの光の進行方向を変えて他方の側へ透過し、前記他方の側へ像を結像するための光学パネルであって、
第１配列方向に配列され前記第１配列方向と交差する第１延在方向に延びる複数の第１凸部を有し、各第１凸部は、前記一方の側から入射する元像からの光を反射する第１反射面と、前記第１反射面と対向する第１対向面と、を有する第１光学シートと、
第２配列方向に配列され前記第２配列方向と交差する第２延在方向に延びる複数の第２凸部を有し、各第２凸部は、前記第１反射面で反射された元像からの光を反射する第２反射面と、前記第２反射面と対向する第２対向面と、を有する第２光学シートと、を備え、
前記第１対向面及び前記第２対向面の少なくとも一方は凹凸面を含む、光学パネル。
【発明の詳細な説明】
【技術分野】
【０００１】
本発明は、一方の側から入射する元像からの光の進行方向を変えて他方の側へ透過し、他方の側へ像を表示するための光学パネルに用いられる光学シート、及び、この光学シートを備えた光学パネルに関する。
【背景技術】
【０００２】
例えば特許文献１に開示されているように、一方の側から入射する元像からの光の進行方向を変えて他方の側へ透過し、他方の側へ像を結像するための光学パネルを備えた結像装置が知られている。特許文献１に開示された結像装置の光学パネルは、第１光学シートと第２光学シートとを有し、各光学シートは配列方向に配列された複数の光透過部を含んでおり、各光透過部は、一方の側から入射する元像からの光を反射する反射面と、当該反射面と対向する斜面と、を有している。特許文献１の結像装置によれば、光学パネルの一方の側から入射した元像からの光を光学パネルのパネル面に平行な異なる２方向に反射することにより、光学パネルの他方の側に、実像である元像と同一の虚像を結像することができる。
【先行技術文献】
【特許文献】
【０００３】
【特許文献１】特開２０１３−１１３９０２号公報
【発明の概要】
【発明が解決しようとする課題】
【０００４】
しかしながら、特許文献１に開示された光学パネルを用いた場合、光学パネルの一方の側から入射した光が、各光学シートの光透過部の斜面で反射し、これにより意図しない像が視認されるという不具合が生じ得る。例えば、元像から出射し元像の周囲に存在する機器やケーシングで反射した光が光学パネルへ入射し、光学シートの光透過部の斜面で反射した場合、この対向面で反射した光が意図しない位置で結像して、いわゆるゴーストとして観察者から視認され得る。とりわけ、意図しない像が、本来結像されるべき像が観察され得る方向から観察される場合、すなわち、本来結像されるべき像と同時に観察される場合には、本来結像されるべき像の視認性を著しく劣化させてしまうことになる。
【０００５】
本発明は、このような点を考慮してなされたものであり、一方の側から入射する元像からの光の進行方向を変えて他方の側へ透過し、他方の側へ像を結像するための光学シート、及び、この光学シートを備えた光学パネルにおいて、意図しない像が観察されることを抑制することを目的とする。
【課題を解決するための手段】
【０００６】
本発明の光学シートは、
一方の側から入射する元像からの光の進行方向を変えて他方の側へ透過し、前記他方の側へ像を結像するための光学パネルに用いられる光学シートであって、
配列方向に配列され前記配列方向と交差する延在方向に延びる複数の凸部を有し、各凸部は、前記元像からの光を反射する反射面と、前記反射面と対向する対向面と、を有し、
前記対向面は凹凸面を含む。
【０００７】
本発明の光学シートにおいて、前記凹凸面は、前記延在方向に平行な方向に沿って延びる筋状の凹凸を含んでもよい。
【０００８】
本発明の光学シートにおいて、前記筋状の凹凸は、前記対向面上に前記延在方向と交差する方向に規則的に配列されていてもよい。
【０００９】
本発明の光学シートにおいて、前記複数の凸部を支持する支持面を有するベース部をさらに備え、前記支持面の前記凸部から露出した部分が凹凸面を含んでもよい。
【００１０】
本発明の光学シートにおいて、前記支持面の前記凹凸面は、前記延在方向に平行な方向に沿って延びる筋状の凹凸を含んでもよい。
【００１１】
本発明の光学シートにおいて、前記支持面の前記筋状の凹凸は、前記支持面の前記凹凸面内で前記延在方向と交差する方向に規則的に配列されていてもよい。
【００１２】
本発明の光学パネルは、
一方の側から入射する元像からの光の進行方向を変えて他方の側へ透過し、前記他方の側へ像を結像するための光学パネルであって、
第１配列方向に配列され前記第１配列方向と交差する第１延在方向に延びる複数の第１凸部を有し、各第１凸部は、前記一方の側から入射する元像からの光を反射する第１反射面と、前記第１反射面と対向する第１対向面と、を有する第１光学シートと、
第２配列方向に配列され前記第２配列方向と交差する第２延在方向に延びる複数の第２凸部を有し、各第２凸部は、前記第１反射面で反射された元像からの光を反射する第２反射面と、前記第２反射面と対向する第２対向面と、を有する第２光学シートと、を備え、
前記第１対向面及び前記第２対向面の少なくとも一方は凹凸面を含む。
【発明の効果】
【００１３】
本発明によれば、一方の側から入射する元像からの光の進行方向を変えて他方の側へ透過し、他方の側へ像を結像するための光学シート、及び、この光学シートを備えた光学パネルにおいて、意図しない像が観察されることを抑制することができる。
【図面の簡単な説明】
【００１４】
【図１】図１は、本発明の一実施の形態を説明するための図であって、光学シートを有する光学パネルを備えた結像装置を示す斜視図である。
【図２】図２は、図１の結像装置を示す縦断面図である。
【図３】図３は、図１の結像装置に組み込まれた光学パネルを示す部分斜視図である。
【図４】図４は、図３の光学パネルに組み込まれた光学シートを、そのシート面への法線方向及び凸部の配列方向の両方に沿った断面において、示す図である。
【図５】図５は、図４の凸部の１つ及びベース部を拡大して示す断面図である。
【図６】図６は、図５の凸部及びベース部を示す部分斜視図である。
【図７】図７は、光学シートの製造に用いられる金型を、その板面への法線方向及び凸部の配列方向の両方に沿った断面において、示す図である。
【図８】図８は、図７の金型の凹部を拡大して示す断面図である。
【図９】図９は、図７の金型の製造方法を説明するための図である。
【図１０】図１０は、図７の金型の製造方法を説明するための図である。
【図１１】図１１は、図７の金型を用いた光学シートの製造方法を説明するための断面図である。
【図１２】図１２は、変形例に係る光学シートを示す断面図である。
【図１３】図１３は、図１２の光学シートを示す部分斜視図である。
【図１４】図１４は、他の変形例に係る光学シートを示す断面図である。
【発明を実施するための形態】
【００１５】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００１６】
図１〜図１４は、本発明による一実施の形態を説明するための図である。このうち、図１及び図２は、結像装置を示す斜視図及び縦断面図である。図３は、結像装置に組み込まれた光学パネルを示す部分斜視図である。図４は、光学パネルに組み込まれた光学シートを示す断面図である。
【００１７】
図１及び図２に示すように、結像装置１０は、一方の側から入射する元像（元となる像）９１からの光の進行方向を変えて他方の側へ透過させる光学パネル２０と、光学パネル２０を支持するケーシング１５と、を有している。図示された結像装置１０において、円錐形状の立体モデルが元像９１としてケーシング１５内に配置されている。したがって、図示する例においては、ケーシング１５の内側が、光学パネル２０の一方の側、すなわち入光側であって、ケーシングの外側が、光学パネル２０の他方の側である。光学パネル２０は、そのパネル面に平行な異なる二方向ｄａ，ｄｂに元像９１からの光を反射することにより、光学パネル２０の他方の側、すなわち出光側に実像である元像と同一の虚像９２を結像する。
【００１８】
ケーシング１５は、箱状に形成されており、上面１５ａに光学パネル２０を支持している。ケーシング１５の上面１５ａは、例えば４５°だけ、底面１５ｂに対して傾斜している。元像９１となる物体（円錐）は、ケーシング１５内において、光学パネル２０のパネル面への法線方向ｎｄに対面しない位置に配置されている。光学パネル２０によって結像される虚像９２は、光学パネル２０のパネル面への法線方向ｎｄに対面しない位置に観察されるようになる。とりわけ、図示された例では以下に説明する光学パネル２０の構成に応じて、虚像９２は、光学パネル２０のパネル面を中心面として、元像９１と面対称な位置に面対称となる向きにて観察されるようになる。
【００１９】
なお、本明細書において、「パネル」、「シート」、「フィルム」、「板」等の用語は、呼称の違いのみに基づいて、互いから区別されるものではない。したがって、例えば、「シート」はフィルムや板とも呼ばれ得るような部材も含む概念である。一具体例として、「光学シート」には、「光学フィルム」等と呼ばれる部材も含まれる。
【００２０】
また、本明細書において、「シート面（フィルム面、板面、パネル面）」とは、対象となるシート状（フィルム状、板状、パネル状）の部材を全体的かつ大局的に見た場合において対象となるシート状（フィルム状、板状、パネル状）部材の平面方向と一致する面のことを指す。
【００２１】
さらに、本明細書において用いる、形状や幾何学的条件を特定する用語、例えば、「平行」、「直交」、「対称」、「台形」等の用語については、厳密な意味に縛られることなく、同様の光学的機能を期待し得る程度の誤差を含めて解釈することとする。
【００２２】
以下、光学パネル２０の構成及び作用効果についてさらに詳述していく。図３に示すように光学パネル２０は、第１光学シート３０と、第１光学シート３０の他方の側、すなわち出光側に配置された第２光学シート４０と、を有している。第１光学シート３０は、シート状の第１ベース部３１と、第１ベース部３１上に配列された第１凸部３５と、を有しており、第２光学シート４０は、シート状の第２ベース部４１と、第２ベース部４１上に配列された第２凸部４５と、を有している。以下において光学シート３０，４０についてさらに詳述するが、以下の説明において、「第１」及び「第２」との用語を用いることなく３０番台と４０番台の符号を列記して説明する場合、例えば「光学シート３０，４０」、「ベース部３１，４１」、「凸部３５，４５」との用語を用いて説明する場合には、第１光学シート３０及び第２光学シート４０の双方に当てはまる説明である。とりわけ図示された本実施の形態では、第１光学シート３０及び第２光学シート４０が互いに同一に構成されている。そして、図４〜図６及び図１０〜図１３は、同一に構成された第１光学シート３０及び第２光学シート４０の両方を示す図となっている。
【００２３】
ベース部３１，４１は、凸部３５，４５を支持する層であり、適度な強度及び適度な透明性を有するように、適宜構成される。第１ベース部３１の他方の側の面（出光側面）は第１支持面３１ａをなし、この第１支持面３１ａ上に第１凸部３５を支持している。また、第２ベース部４１の他方の側の面（出光側面）は第２支持面４１ａをなし、この第２支持面４１ａ上に第２凸部４５を支持している。一例として、ベース部３１，４１の厚さを２０μｍ以上２００μｍ以下とすることができ、このようなベース部３１，４１として、例えば、二軸延伸ポリエチレンテレフタレート（ＰＥＴ）フィルムを用いることができる。二軸延伸ポリエチレンテレフタレートフィルムは、適度な透明性と、紫外線照射処理や加熱処理等に対する耐久性と、を有している点で、ベース部３１，４１としての適用に好適である。
【００２４】
図３及び図４に示すように、第１凸部３５は、第１ベース部３１の第１支持面３１ａ上に、当該第１支持面３１ａと平行な第１配列方向ｄａに沿って、配列されている。また、第２凸部４５は、第２ベース部４１の第２支持面４１ａ上に、当該第２支持面４１ａと平行な第２配列方向ｄｂに沿って、配列されている。凸部３５，４５は、その配列方向ｄａ，ｄｂと交差する方向であってベース部３１，４１の支持面３１ａ，４１ａと平行な方向に、線状に延びている。とりわけ図示する例においては、凸部３５，４５は、配列方向ｄａ，ｄｂと直交する方向に直線状に延びている。本実施の形態では、凸部３５，４５が延びる方向を延在方向と呼ぶ。凸部３５，４５は、図３に示すようにベース部３１，４１の支持面３１ａ，４１ａ上に隙間無く配列されていてもよいし、図４に示すように、配列方向ｄａ，ｄｂに隙間をあけて、すなわち支持面３１ａ，４１ａが配列方向ｄａ，ｄｂに隣り合う二つの凸部３５，４５間に当該凸部３５，４５から露出した部分を有するようにして、ベース部３１，４１の支持面３１ａ，４１ａ上に配列されていてもよい。
【００２５】
第１光学シート３０の各第１凸部３５は、第１凸部３５の他方の側の面をなす上面３５ａと、一方の側から入射する元像９１からの光を反射する第１反射面３６と、第１反射面３６と対向する第１対向面３７と、を有している。とりわけ、第１反射面３６は、第１凸部３５の第１配列方向ｄａに沿った一側に配置され、第１対向面３７は、当該第１凸部３５の第１配列方向ｄａに沿った他側に配置されている。第２光学シート４０の各第２凸部４５は、第２凸部４５の他方の側の面をなす上面４５ａと、一方の側から入射する元像９１からの光を反射する第２反射面４６と、第２反射面４６と対向する第２対向面４７と、を有している。とりわけ、第２反射面４６は、第２凸部４５の第２配列方向ｄｂに沿った一側に配置され、第２対向面４７は、当該第２凸部４５の第２配列方向ｄｂに沿った他側に配置されている。第１光学シート３０に含まれる多数の第１凸部３５の間において、第１反射面３６は互いに平行となっている。また、第２光学シート４０に含まれる多数の第２凸部４５の間において、第２反射面４６は互いに平行となっている。
【００２６】
図３によく示されているように、第１光学シート３０及び第２光学シートは、第１凸部３５の配列方向ｄａと第２凸部４５の配列方向ｄｂとが交差するようにして、互いに重ねて配置されている。とりわけ、本実施の形態では、第１凸部３５の配列方向ｄａと第２凸部４５の配列方向ｄｂとが直交するようにして、第１光学シート３０及び第２光学シートが互いに対して位置決めされている。
【００２７】
第１光学シート３０は、隣り合う二つの第１凸部３５の間に第１凹部３８を有し、第２光学シート４０は、隣り合う二つの第２凸部４５の間に第２凹部４８を有している。図３及び図４に示すように、凹部３８，４８は、ベース部３１，４１上に、凸部３５，４５と隣接して、配列方向ｄａ，ｄｂに凸部３５，４５と交互に配列されている。また、凹部３８，４８は、その配列方向ｄａ，ｄｂと交差する方向であってベース部３１，４１の支持面３１ａ，４１ａと平行な方向に、線状に延びている。とりわけ、凹部３８，４８は、凸部３５，４５の延在方向と平行な方向に延びている。すなわち、凹部３８，４８は、凸部３５，４５と同様にストライプ配列にて、ベース部３１，４１の支持面３１ａ，４１ａ上に配列されている。
【００２８】
凹部３８，４８は、１つの凸部３５，４５の反射面３６，４６と、当該凸部３５，４５の当該反射面３６，４６側に隣り合う他の凸部３５，４５の対向面３７，４７と、を含んで形成される。とりわけ図４に示された例では、凹部３８，４８は、１つの凸部３５，４５の反射面３６，４６と、当該凸部３５，４５の当該反射面３６，４６側に隣り合う他の凸部３５，４５の対向面３７，４７と、を側面とし、当該反射面３６，４６と当該対向面３７，４７との間に位置するベース部３１，４１の支持面３１ａ，４１ａを底面として、形成される。
【００２９】
次に、図４〜図６を参照しながら、凸部３５，４５の断面形状について説明する。図４は、光学シート３０，４０の凸部３５，４５の配列方向ｄａ，ｄｂ及び光学シート３０，４０の法線方向ｎｄに沿った断面（光学シートの主切断面とも呼ぶ）において、光学シート３０，４０を示す図であり、図５は、凸部３５，４５の１つ及びベース部３１，４１を拡大して示す図であり、図６は、図５の凸部３５，４５及びベース部３１，４１を示す部分斜視図である。
【００３０】
図４〜図６に示すように、第１光学シート３０の主切断面において、第１配列方向ｄａに沿った第１凸部３５の幅Ｗ１は、他方の側（出光側）の端部において一方の側（入光側）の端部よりも狭くなっており、第２光学シート４０の主切断面において、第２配列方向ｄｂに沿った第２凸部４５の幅Ｗ２は、他方の側の端部において一方の側の端部よりも狭くなっている。すなわち、出光側端部における第１凸部３５の幅Ｗ１ｂは、入光側端部における第１凸部３５の幅Ｗ１ａよりも狭くなっており、出光側端部における第２凸部４５の幅Ｗ２ｂは、入光側端部における第２凸部４５の幅Ｗ２ａよりも狭くなっている。
【００３１】
とりわけ、図４〜図６に示した例では、第１配列方向ｄａに沿った第１凸部３５の幅Ｗ１は、一方の側（入光側）から他方の側（出光側）へ向けて狭くなるようにのみ変化し、広くなるように変化することはない。同様に、第２配列方向ｄｂに沿った第２凸部４５の幅Ｗ２は、一方の側（入光側）から他方の側（出光側）へ向けて狭くなるようにのみ変化し、広くなるように変化することはない。また、図４〜図６に示した例では、第１配列方向ｄａに沿った第１凸部３５の幅Ｗ１は、一方の側（入光側）から他方の側（出光側）へ向けて狭くなるように変化し続け、第２配列方向ｄｂに沿った第２凸部４５の幅Ｗ２は、一方の側（入光側）から他方の側（出光側）へ向けて狭くなるように変化し続けている。
【００３２】
さらに、図４〜図６に示すように、第１凸部３５は、第１光学シート３０の主切断面において、略台形形状となっており、第２凸部４５は、第２光学シート４０の主切断面において、略台形形状となっている。そして、本実施の形態では、第１光学シート３０の主切断面において、第１凸部３５の一方の側から他方の側へ伸びる二つの面３６，３７のうちの一方によって、元像９１からの光を反射する第１反射面３６が構成され、二つの面３６，３７のうちの他方によって、第１反射面３６と対向する第１対向面３７が構成されている。同様に、第２光学シート４０の主切断面において、第２凸部４５の一方の側から他方の側へ伸びる二つの面４６，４７のうちの一方によって、元像９１からの光を反射する第２反射面４６が構成され、二つの面４６，４７のうちの他方によって、第２反射面４６と対向する第２対向面４７が構成されている。
【００３３】
図４〜図６に示された例では、第１凸部３５がなす台形形状の第１反射面３６に対応する一つの側辺は、当該台形形状の上底及び下底と直交しており、第２凸部４５がなす台形形状の第２反射面４６に対応する一つの側辺は、当該台形形状の上底及び下底と直交している。すなわち、第１凸部３５の第１反射面３６は、第１光学シート３０の法線方向ｎｄと平行をなして延びており、第２凸部４５の第２反射面４６は、第２光学シート４０の法線方向ｎｄと平行をなして延びている。図示された例では、凸部３５，４５の断面形状をなす台形形状は、上底が光学シート３０，４０の他方の側の面をなすように配置され、下底が一方の側に配置されている。なお、反射面３６，４６は、光学シート３０，４０の法線方向ｎｄと平行をなすものに限られない。一方の側（入光側）から入射する元像９１からの光を反射して、他方の側（出光側）に虚像９２を結像することが可能であれば、反射面３６，４６は、光学シート３０，４０の法線方向ｎｄに対して傾斜していてもよい。一例として、反射面３６，４６は、光学シート３０，４０の法線方向ｎｄに対して０．０５°以上１°以下の角度で傾斜していてもよい。
【００３４】
第１凸部３５の第１対向面３７及び第２凸部４５の第２対向面４７の少なくとも一方は、凹凸面を含んでいる。とりわけ図５及び図６に示された例では、第１凸部３５の第１対向面３７は第１凹凸面３９を含み、第２凸部４５の第２対向面４７は第２凹凸面４９を含んでいる。図示された例では、凹凸面３９，４９は、複数の筋状の凹凸を含んでいる。本明細書において、「筋状」とは、細長く延びた線状又は帯状の形状をなすものを指す。したがって、「筋状の凹凸」には、細長く延びた線状又は帯状の形状をなす凸部、細長く延びた線状又は帯状の形状をなす凹部、及び、これらの組み合わせ、が含まれる。なお、「筋状」とは、直線状に延びたものに限られず、波線状、折れ線状等の、直線状以外の形状を有して全体として細長く延びたものをも含むものとする。図示された例では、複数の筋状の凹凸は、凸部３５，４５の対向面３７，４７上に配列され、配列方向と交差する方向に直線状に延びている。とりわけ、複数の筋状の凹凸は、凸部３５，４５の延在方向に平行な方向に沿って延びている。さらに、複数の筋状の凹凸は、凸部３５，４５の延在方向に直交する方向に沿って、凸部３５，４５の対向面３７，４７上に隙間なく並べられている。したがって、凸部３５，４５の対向面３７，４７は、凸部３５，４５の延在方向に直交する方向に沿って隙間なく並べられた複数の筋状の凹凸によって形成されている。また、図示された例では、複数の筋状の凹凸は、対向面３７，４７上に、凸部３５，４５の延在方向と交差する方向に沿って規則的に配列されている。したがって、凸部３５，４５の対向面３７，４７は、凸部３５，４５の延在方向に直交する方向に沿って規則的に配列された複数の筋状の凹凸によって形成されている。なお、複数の筋状の凹凸は、規則的に配列されたものに限られず、不規則的に配列されたものであってもよい。とりわけ、複数の筋状の凹凸は、対向面３７，４７上に、凸部３５，４５の延在方向と交差する方向に沿って不規則的に配列されていてもよい。この規則的又は不規則的に配列された複数の筋状の凹凸の平均配列ピッチは、例えば０．１μｍ以上１０μｍ以下とすることができる。なお、図３及び図４では、凸部３５，４５の対向面３７，４７に含まれる凹凸面３９，４９の具体的形状の図示を省略している。
【００３５】
なお、凸部３５，４５の対向面３７，４７に含まれる凹凸面３９，４９は、後述するような、対向面３７，４７へ入射した光を拡散させる機能を有するものであれば、複数の筋状の凹凸からなるものに限られない。例えば、凹凸面３９，４９は、粗化面（マット面）等の他の形状をなす凹凸面３９，４９であってもよい。また、凸部３５，４５の対向面３７，４７に含まれる凹凸面３９，４９は、対向面３７，４７全体に配置されたものに限られず、凹凸面３９，４９は対向面３７，４７の一部に配置されていてもよい。
【００３６】
次に、以上のような構成からなる光学シート３０，４０製造方法について説明する。
【００３７】
まず、光学シート３０，４０の凸部３５，４５を賦型するための金型７０について、図７及び図８を参照して説明する。図７は、金型７０の凸部７５の配列方向ｄｃ及び金型７０の法線方向ｎｄに沿った断面（金型の主切断面とも呼ぶ）において、金型７０を示す図である。図８は、図７の金型の１つの凹部７８を拡大して示す断面図である。
【００３８】
図７に示された例では、金型７０は、シート状のベース部７１と、ベース部７１上に配列された凸部７５と、を有している。ベース部７１は、凸部７５を支持する層であり、適度な強度を有するように適宜構成される。ベース部７１の凸部７５の側の面は支持面７１ａをなし、この支持面７１ａ上に凸部７５を支持している。
【００３９】
図７に示すように、凸部７５は、ベース部７１の支持面７１ａ上に、当該支持面７１ａと平行な配列方向ｄｃに沿って、配列されている。凸部７５は、その配列方向ｄｃと交差する方向であってベース部７１の支持面７１ａと平行な方向に、線状に延びている。とりわけ図示する例においては、凸部７５は、配列方向ｄｃと直交する方向に直線状に延びている。図示された例では、凸部７５は、配列方向ｄｃに隙間をあけて、すなわち支持面７１ａが配列方向ｄｃに隣り合う二つの凸部７５間に当該凸部７５から露出した部分を有するようにして、ベース部７１の支持面７１ａ上に配列されている。
【００４０】
金型７０の各凸部７５は、ベース部７１と反対側の面をなす上面７５ａと、側面７６と、側面７６と対向する対向面７７と、を有している。とりわけ、側面７６は、凸部７５の配列方向ｄｃに沿った一側に配置され、対向面７７は、当該凸部７５の配列方向ｄｃに沿った他側に配置されている。金型７０に含まれる多数の凸部７５の間において、側面７６は互いに平行となっている。
【００４１】
金型７０は、隣り合う二つの凸部７５の間に凹部７８を有している。図７に示すように、凹部７８は、ベース部７１上に、凸部７５と隣接して、配列方向ｄｃに凸部７５と交互に配列されている。また、凹部７８は、その配列方向ｄｃと交差する方向であってベース部７１の支持面７１ａと平行な方向に、線状に延びている。とりわけ、凹部７８は、凸部７５の延在方向と平行な方向に延びている。すなわち、凹部７８は、凸部７５と同様にストライプ配列にて、ベース部７１の支持面７１ａ上に配列されている。
【００４２】
凹部７８は、１つの凸部７５の側面７６と、当該凸部７５の当該側面７６側に隣り合う他の凸部７５の対向面７７と、を含んで形成される。とりわけ図７に示された例では、凹部７８は、１つの凸部７５の側面７６と、当該凸部７５の当該側面７６側に隣り合う他の凸部７５の対向面７７と、を側面とし、当該側面７６と当該対向面７７との間に位置するベース部７１の支持面７１ａを底面として、形成される。
【００４３】
図７に示すように、金型７０の主切断面において、配列方向ｄｃに沿った凸部７５の幅Ｗ３は、上面７５ａ側の端部においてベース部７１側の端部よりも狭くなっている。すなわち、出光側端部における凸部７５の幅Ｗ３ｂは、入光側端部における凸部７５の幅Ｗ３ａよりも狭くなっている。とりわけ、図示された例では、配列方向ｄｃに沿った凸部７５の幅Ｗ３は、ベース部７１側から上面７５ａ側へ向けて狭くなるようにのみ変化し、広くなるように変化することはない。また、図示された例では、配列方向ｄｃに沿った凸部７５の幅Ｗ３は、ベース部７１側から上面７５ａ側へ向けて狭くなるように変化し続けている。
【００４４】
さらに、図７に示すように、凸部７５は、金型７０の主切断面において、略台形形状となっている。そして、本実施の形態では、金型７０の主切断面において、凸部７５のベース部７１側から上面７５ａ側へ伸びる二つの面７６，７７のうちの一方によって、側面７６が構成され、二つの面７６，７７のうちの他方によって、側面７６と対向する対向面７７が構成されている。
【００４５】
図７に示された例では、凸部７５がなす台形形状の側面７６に対応する一つの側辺は、当該台形形状の上底及び下底と直交している。すなわち、凸部７５の側面７６は、金型７０の法線方向ｎｄと平行をなして延びている。図示された例では、凸部７５の断面形状をなす台形形状は、上底が光学シートの上面７５ａをなすように配置され、下底がベース部７１側に配置されている。なお、側面７６は、金型７０の法線方向ｎｄと平行をなすものに限られない。すなわち、側面７６は、金型７０の法線方向ｎｄに対して傾斜していてもよい。一例として、側面７６は、金型７０の法線方向ｎｄに対して０．０５°以上１°以下の角度で傾斜していてもよい。
【００４６】
凸部７５の対向面７７は凹凸面７９を含んでいる。図８に示された例では、凹凸面７９は、複数の筋状の凹凸を含んでいる。複数の筋状の凹凸は、凸部７５の対向面７７上に配列され、配列方向と交差する方向に直線状に延びている。とりわけ、複数の筋状の凹凸は、凸部７５の延在方向に平行な方向に沿って延びている。さらに、複数の筋状の凹凸は、凸部７５の延在方向に直交する方向に沿って、凸部７５の対向面７７上に隙間なく並べられている。したがって、凸部７５の対向面７７は、凸部７５の延在方向に直交する方向に沿って隙間なく並べられた複数の筋状の凹凸によって形成されている。また、図示された例では、複数の筋状の凹凸は、対向面７７上に、凸部７５の延在方向と交差する方向に沿って規則的に配列されている。したがって、凸部７５の対向面７７は、凸部７５の延在方向に直交する方向に沿って規則的に配列された複数の筋状の凹凸によって形成されている。なお、図７及び図１１では、凸部７５の対向面７７に含まれる凹凸面７９の具体的形状の図示を省略している。
【００４７】
なお、凸部７５の対向面７７に含まれる凹凸面７９は、複数の筋状の凹凸からなるものに限られない。例えば、凹凸面７９は、粗化面（マット面）等の他の形状をなす凹凸面７９であってもよい。また、凸部７５の対向面７７に含まれる凹凸面７９は、対向面７７全体に配置されたものに限られず、凹凸面７９は対向面７７の一部に配置されていてもよい。
【００４８】
このような金型７０の材料は特に限られないが、例えば、ニッケル、ニッケル−リン合金、銅、真鍮等の銅合金、アルミニウム、アルミニウム合金等の金属材料等を用いることができる。
【００４９】
以上のような構成からなる金型７０は、一例として、次のようにして作製され得る。
【００５０】
まず、基材７０ａを準備する。基材７０ａは、第１面７０ａ１と、第１面７０ａ１と対向する第２面７０ａ２と、と有している。基材７０ａしては、特に限られないが、例えば、ニッケル、ニッケル−リン合金、銅、真鍮等の銅合金、アルミニウム、アルミニウム合金等の金属材料等を用いることができる。
【００５１】
次に、図９に示すように、バイト８０を用いて基材７０ａの第１面７０ａ１側に溝７８１を形成する。図示された例では、バイト８０は、基材７０ａを切削するための刃として機能する、底面８１、第１側面８２、及び、第１側面８２と対向する第２側面８３を有している。図示された例において、バイト８０は、その底面８１が基材７０ａの板面と平行をなし、第１側面８２が、基材７０ａの板面への法線方向ｎｄに対して傾斜し、第２側面８３が、基材７０ａの板面への法線方向ｎｄと平行をなすようにして配置されている。なお、なお、バイト８０の第２側面８３は、基材７０ａの法線方向ｎｄと平行をなすように配置されたものに限られない。すなわち、第２側面８３は、基材７０ａの法線方向ｎｄに対して傾斜して配置されてもよい。一例として、バイト８０の第２側面８３は、基材７０ａの法線方向ｎｄに対して０．０５°以上１°以下の角度で傾斜していてもよい。
【００５２】
溝７８１は、バイト８０で基材７０ａを第１面７０ａ１側から切削することにより形成される。具体的には、バイト８０を基材７０ａの第１面７０ａ１と平行をなす方向（図９では紙面と垂直な方向）に沿って移動させながら基材７０ａを第１面７０ａ１側から切削する。このとき、バイト８０の底面８１の、基材７０ａの第１面７０ａ１からの深さが、所定の深さΔＤとなるようにして切削する。これにより、基材７０ａの第１面７０ａ１側に、深さΔＤを有する溝７８１を形成する。溝７８１は、基材７０ａの第１面７０ａ１と平行をなす方向に沿って線状に延びている。とりわけ図示する例においては、溝７８１は、基材７０ａの第１面７０ａ１と平行をなす方向に沿って直線状に延びている。
【００５３】
次に、図１０に示すように、バイト８０で基材７０ａを第１面７０ａ１側から切削することにより溝７８２を形成する。具体的には、バイト８０を、溝７８１から、溝７８１の延びる方向（延在方向）と交差する方向、とりわけ直交する方向、に所定距離ΔＳだけずれた箇所において、バイト８０を溝７８１の延在方向と平行をなす方向（図１０では紙面と垂直な方向）に沿って移動させながら基材７０ａを第１面７０ａ１側から切削する。このとき、バイト８０の底面８１の、溝７８１の底面からの深さがΔＤとなるようにして切削する。これにより、基材７０ａの第１面７０ａ１側に、溝７８１の底面からの深さΔＤを有する溝７８２を形成する。溝７８２は、溝７８１の延在方向と平行をなす方向に沿って線状に延びている。とりわけ図示する例においては、溝７８１は、溝７８１の延在方向と平行をなす方向に沿って直線状に延びている。
【００５４】
同様にして、バイト８０で基材７０ａを第１面７０ａ１側から切削することにより溝７８３を形成する。具体的には、バイト８０を、溝７８２から、溝７８１，７８２の延在方向と交差する方向、とりわけ直交する方向、に所定距離ΔＳだけずれた箇所において、バイト８０を溝７８１，７８２の延在方向と平行をなす方向に沿って移動させながら基材７０ａを第１面７０ａ１側から切削する。このとき、バイト８０の底面８１の、溝７８２の底面からの深さがΔＤとなるようにして切削する。これにより、基材７０ａの第１面７０ａ１側に、溝７８２の底面からの深さΔＤを有する溝７８３を形成する。
【００５５】
この工程を繰り返すことにより、基材７０ａから、図８に示すような金型７０を作製することができる。図示された例では、金型７０の凹部７８は、上述の溝７８１，７８２，７８３，・・・から形成される。
【００５６】
次に、図１１に示されているように、硬化することによって光学シート３０，４０の凸部３５，４５を構成するようになる、未硬化で流動性を有した凸部構成組成物８５を、金型７０の凹部７８に充填し、凸部構成組成物８５の金型７０と反対側に、光学シート３０，４０のベース部３１，４１を構成するようになるベースフィルム８６を積層する。凸部構成組成物８５としては、例えば、電子線、紫外線等の電離放射線の照射により硬化するエポキシアクリレートプレポリマー等の樹脂を用いることができる。ベースフィルム８６としては、例えば、二軸延伸ポリエチレンテレフタレート（ＰＥＴ）フィルムを用いることができる。このようにして、ベースフィルム８６と金型７０との間、とりわけベースフィルム８６と金型７０の凹部７８との間、に凸部構成組成物８５を充填した後、電離放射線を照射して、この凸部構成組成物８５を硬化（固化）させる。
【００５７】
その後、硬化した凸部構成組成物８５を、ベースフィルム８６とともに金型７０から離型することにより、図４〜図６に示されるような、凸部３５，４５を有する光学シート３０，４０が製造される。このとき、ベースフィルム８６が光学シート３０，４０のベース部３１，４１をなし、硬化した凸部構成組成物８５が光学シート３０，４０の凸部３５，４５をなすようになる。
【００５８】
なお、金型７０の凸部７５の側面７６が、金型７０の法線方向ｎｄと平行をなしている場合、凸部構成組成物８５を金型７０から離型する際に、凸部７５の側面７６が、凸部構成組成物８５の、後に光学シート３０，４０の凸部３５，４５の反射面３６，４６をなすようになる面と擦れ、反射面３６，４６に傷を生じることがある。そのため、金型７０の凸部７５の側面７６を、ベース部７１から上面７５ａに向かうにつれて当該凸部７５の対向面７７に近づくように傾斜させ、すなわち凸部７５の側面７６にテーパをつけ、凸部構成組成物８５を金型７０から離型する際に、凸部７５の側面７６が、凸部構成組成物８５の、後に反射面３６，４６をなすようになる面と擦れることがないようにすることが好ましい。一例として、金型７０の凸部７５の側面７６は、ベース部７１から上面７５ａに向かうにつれて当該凸部７５の対向面７７に近づくように、金型７０の法線方向ｎｄに対して０．０５°以上１°以下の角度で傾斜させることが好ましい。
【００５９】
上述のようにして製造された光学シート３０，４０の凸部３５，４５は、金型７０の凹部７８と相補形状をなす。具体的には、光学シート３０，４０及び金型７０の主切断面において、光学シート３０，４０の凸部３５，４５の上面３５ａ，４５ａは、金型７０の凹部７８の底面と相補形状をなす。光学シート３０，４０の凸部３５，４５の反射面３６，４６は、金型７０の凹部７８の一方の側面、すなわち１つの凸部７５の側面７６と相補形状をなす。また、光学シート３０，４０の凸部３５，４５の対向面３７，４７は、金型７０の凹部７８の他方の側面、すなわち当該１つの凸部７５の側面７６側に隣り合う他の凸部７５の対向面７７と相補形状をなす。したがって、光学シート３０，４０の凸部３５，４５の対向面３７，４７に含まれる凹凸面３９，４９は、金型７０の凸部７５の対向面７７に含まれる凹凸面７９と相補形状をなす。これにより、凹凸面３９，４９を含んだ対向面３７，４７を有する凸部３５，４５を形成することができる。
【００６０】
次に、以上のように構成された結像装置１０、光学パネル２０及び光学シート３０，４０の作用効果について説明する。
【００６１】
図１及び図２に示すように、ケーシング１５に支持された光学パネル２０の一方の側（入光側）に、表示対象となる元となる像、すなわち元像９１が配置される。図１及び図２に示された例においては、円錐が元像９１として、ケーシング１５内に配置されている。図３に示すように、元像９１からの光は、光学パネル２０へ一方の側から入射し、進行方向を変化させて光学パネル２０を透過し、他方の側へ像９２を形成するようになる。
【００６２】
元像９１からの光は、光学パネル２０の一方の側に配置された第１光学シート３０へ入射する。第１光学シート３０は、第１配列方向ｄａに配列された多数の第１凸部３５を有し、各第１凸部３５は互いに平行な第１反射面３６を有している。図３〜図６に示された例では、各第１反射面３６は、第１光学シート３０のシート面への法線方向ｎｄ、言い換えると光学パネル２０のパネル面への法線方向ｎｄと平行な面となっている。第１光学シート３０の第１反射面３６は、第１反射面３６と平行な面で鏡面反射された像を形成するように、元像９１からの光を反射する。
【００６３】
第１光学シート３０の他方の側には、第２光学シート４０が配置されている。第２光学シート４０は、第２配列方向ｄｂに配列された多数の第２凸部４６を有し、各第２凸部４６は互いに平行な第２反射面４６を有している。図３〜図６に示された例では、各第２反射面４６は、第２光学シート４０のシート面への法線方向ｎｄ、言い換えると光学パネル２０のパネル面への法線方向ｎｄと平行な面となっている。第２光学シート４０の第２反射面４６は、第２反射面４６と平行な面で鏡面反射された虚像９２を形成するように、第１反射面３６で反射された後の元像９１からの光を反射する。
【００６４】
なお、図３に示すように、元像９１の各位置から種々の方向に進む光が、第１光学シート３０内の第１反射面３６及び第２光学シート４０内の第２反射面４６で反射され、元像の当該位置９１に対して光学パネル２０のパネル面を中心として面対称な位置へ進む。結果として、光学パネル２０のパネル面を中心として元像９１と面対称な像９２が、光学パネル２０のパネル面を中心として元像９１と面対称な位置に、形成（結像）される。観察者１は、光学パネル２０のパネル面を中心として元像９１と面対称な位置に向けて、光学パネル２０から進み出る光の進行方向と逆向きから観察した際に、光学パネル２０の他方の側に結象された象９２を三次元的に把握することができる。
【００６５】
なお、図３〜図６に示されているように光学パネル２０（光学シート３０，４０）の反射面３６，４６が光学パネル２０（光学シート３０，４０）のパネル面への法線方向ｎｄと平行をなして延びている場合、他方の側に結像された虚像９２を観察する際に、観察方向の延長線上に光学パネル２０及び元像９１が配置されていると、虚像９２とともに、元像９１そのものが光学パネル２０越しに、より詳しくは、反射面３６，４６の間から視認されてしまい、虚像９２の視認性が著しく劣化してしまう。このため図１及び図２に示した例では、元像９１は、光学パネル２０のパネル面への法線方向ｎｄに沿って光学パネル２０に対向しない位置に、配置されている。これにより、観察者１は、光学パネル２０のパネル面への法線方向ｎｄに対して一側に傾斜した方向から、再生された虚像９２を観察することになる。この結果、虚像９２とともに、元像９１そのものが光学パネル越しに観察されることが防止される。
【００６６】
次に、図４を参照して、本実施の形態の光学シート３０，４０の作用効果について、さらに詳述する。
【００６７】
一方の側（入光側）から光学シート３０，４０に入射した元像９１からの光Ｌ１は、光学シート３０，４０の凸部３５，４５の反射面３６，４６で反射し、とりわけ凸部３５，４５と凹部３８，４８との屈折率差によって反射面３６，４６で全反射し、他方の側（出光側）へ出射する。
【００６８】
このとき、従来の結像装置においては、光学パネルの一方の側から入射した光が、各光学シートの光透過部の対向面で反射し、これにより意図しない像が視認されるという不具合が生じ得る。例えば、元像から出射し元像の周囲に存在する機器やケーシングで反射した光が光学パネルへ入射し、光学シートの凸部の対向面で反射した場合、この対向面で反射した光が意図しない位置で結像して、いわゆるゴーストとして観察者から視認され得る。とりわけ、意図しない像が、本来結像されるべき像が観察され得る方向から観察される場合、すなわち、本来結像されるべき像と同時に観察される場合には、本来結像されるべき像の視認性を著しく劣化させてしまうことになる。
【００６９】
本発明の光学シート３０，４０は、一方の側から入射する元像９１からの光Ｌ１の進行方向を変えて他方の側へ透過し、他方の側へ像９２を結像するための光学パネル２０に用いられる光学シート３０，４０であって、配列方向ｄａ，ｄｂに配列され配列方向ｄａ，ｄｂと交差する延在方向に延びる複数の凸部３５，４５を有し、各凸部３５，４５は、元像９１からの光Ｌ１を反射する反射面３６，４６と、反射面３６，４６と対向する対向面３７，４７と、を有し、対向面３７，４７は凹凸面３９，４９を含んでいる。
【００７０】
これにより、例えば、元像９１から出射し元像９１の周囲に存在する機器やケーシング１５で反射した光Ｌ２が、元像９１の存在する方向とは異なる方向から光学パネル２０へ入射し、光学シート３０，４０の凸部３５，４５の対向面３７，４７へ入射したとしても、この光Ｌ２は対向面３７，４７の凹凸面３９，４９により拡散され、光Ｌ２の対向面３７，４７での反射が抑制される。また、例えば、元像９１から出射し元像９１の周囲に存在する機器やケーシング１５で反射した光Ｌ３が、元像９１の存在する方向とは異なる方向から光学パネル２０へ入射し、光学シート３０，４０の凸部３５，４５の反射面３６，４６で反射して対向面３７，４７へ入射したとしても、この光Ｌ３は対向面３７，４７の凹凸面３９，４９により拡散され、光Ｌ３の対向面３７，４７での反射が抑制される。したがって、光学シート３０，４０の凸部３５，４５の対向面３７，４７で反射した光Ｌ２，Ｌ３が意図しない位置で結像して、いわゆるゴーストとして観察者１から視認されることを効果的に抑制することができる。
【００７１】
対向面３７，４７の凹凸面３９，４９が、凸部３５，４５の延在方向に平行な方向に沿って延びる筋状の凹凸を含む場合、対向面３７，４７の凹凸面３９，４９に入射した光Ｌ２，Ｌ３を、異方性を有して拡散することができる。すなわち、対向面３７，４７の凹凸面３９，４９に入射した光Ｌ２，Ｌ３を、凸部３５，４５の延在方向に沿った方向と、凸部３５，４５の延在方向と交差する方向と、の間で異方性を有して拡散することができる。これにより、凹凸面３９，４９で拡散された光の進む向きを、効果的に制御することができる。
【００７２】
凹凸面３９，４９の筋状の凹凸が、対向面３７，４７上に、凸部３５，４５の延在方向と交差する方向に規則的に配列されている場合、規則的に配列された筋状の凹凸による回折効果をも利用して凹凸面３９，４９に入射した光Ｌ２，Ｌ３を拡散することができる。これにより、凹凸面３９，４９に入射した光Ｌ２，Ｌ３の拡散効果をより一層発揮することができる。
【００７３】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７４】
図１２及び図１３に、光学シート３０，４０の変形例を示す。図１２は、光学シート３０，４０の主切断面において、光学シート３０，４０の変形例を示す断面図であり、図１３は、図１２の光学シート３０，４０の斜視図である。
【００７５】
図１２及び図１３に示された例では、第１光学シート３０の第１ベース部３１の第１支持面３１ａの、第１凸部３５から露出した部分が、凹凸面１３９を含んでいる。また、第２光学シート４０の第２ベース部４１の第２支持面４１ａの、第２凸部４５から露出した部分が、凹凸面１４９を含んでいる。図示された例では、凹凸面１３９，１４９は、複数の筋状の凹凸を含んでいる。複数の筋状の凹凸は、光学シート３０，４０のベース部３１，４１の支持面３１ａ，４１ａの、凸部３５，４５から露出した部分上、すなわち凹部３８，４８の底面上、に配列され、配列方向と交差する方向に直線状に延びている。とりわけ、複数の筋状の凹凸は、凸部３５，４５の延在方向（凹部３８，４８の延在方向）に平行な方向に沿って延びている。さらに、複数の筋状の凹凸は、凸部３５，４５の延在方向に直交する方向に沿って、凹部３８，４８の底面上に隙間なく並べられている。したがって、凹部３８，４８の底面は、凸部３５，４５の延在方向に直交する方向に沿って隙間なく並べられた複数の筋状の凹凸によって形成されている。また、図示された例では、複数の筋状の凹凸は、凹部３８，４８の底面上に、凸部３５，４５の延在方向と交差する方向に沿って規則的に配列されている。したがって、凹部３８，４８の底面は、凸部３５，４５の延在方向に直交する方向に沿って規則的に配列された複数の筋状の凹凸によって形成されている。なお、複数の筋状の凹凸は、規則的に配列されたものに限られず、不規則的に配列されたものであってもよい。とりわけ、複数の筋状の凹凸は、凹部３８，４８の底面上に、凸部３５，４５の延在方向と交差する方向に沿って不規則的に配列されていてもよい。この規則的又は不規則的に配列された複数の筋状の凹凸の平均配列ピッチは、例えば０．１μｍ以上１０μｍ以下とすることができる。
【００７６】
このような凹凸面１３９を有する光学シート３０，４０は、一例として以下のようにして製造され得る。
【００７７】
上述の光学シート３０，４０の製造方法において、光学シート３０，４０の凸部３５，４５を賦型するための金型７０を作製する際に、まず、基材７０ａの第１面７０ａ１に、凹凸面１３９と相補形状をなす凹凸面を切削加工等により形成しておき、次に、図９及び図１０を参照して説明したように、基材７０ａに凹部７８を形成する。これにより、凸部７５の上面７５ａに凹凸面を有した金型７０を得ることができる。その後、この金型７０の凹部７８内に、未硬化で流動性を有した凸部構成組成物８５を充填するとともに、凸部７５の上面７５ａに含まれる凹凸面にも凸部構成組成物８５を充填し、電離放射線を照射して、この凸部構成組成物８５を硬化（固化）させる。その後、硬化した凸部構成組成物８５を、ベースフィルム８６とともに金型７０から離型する。これにより、凸部７５の上面７５ａに含まれる凹凸面に充填された凸部構成組成物８５から、凸部７５の上面７５ａの凹凸面の形状と互いに相補形状をなす凹凸面１３９を有する光学シート３０，４０が製造され得る。
【００７８】
なお、凹部３８，４８の底面に含まれる凹凸面１３９，１４９は、凹部３８，４８の底面へ入射した光を拡散させる機能を有するものであれば、複数の筋状の凹凸からなるものに限られない。例えば、凹凸面１３９，１４９は、粗化面（マット面）等の他の形状をなす凹凸面１３９，１４９であってもよい。また、凹部３８，４８の底面に含まれる凹凸面１３９，１４９は、凹部３８，４８の底面全体に配置されたものに限られず、凹凸面１３９，１４９は、凹部３８，４８の底面の一部に配置されていてもよい。
【００７９】
このような光学シート３０，４０の変形例によれば、複数の凸部３５，４５を支持する支持面３１ａ，４１ａを有するベース部３１，４１をさらに備え、支持面３１ａ，４１ａの凸部３５，４５から露出した部分が凹凸面１３９，１４９を含んでいるので、一方の側（入光側）から光学シート３０，４０の、ベース部３１，４１の支持面３１ａ，４１ａの凸部３５，４５から露出した部分、に入射した光を、凹凸面１３９，１４９で拡散することができる。これにより、他方の側に結像された虚像９２を観察する際に、観察方向の延長線上に光学パネル２０及び元像９１が配置されていても、虚像９２とともに、元像９１そのものが光学パネル２０越しに、より詳しくは、反射面３６，４６の間から視認されてしまい、虚像９２の視認性が劣化してしまうことを、効果的に抑制することができる。
【００８０】
図１４に、光学シート３０，４０の他の変形例を示す。図１４は、光学シート３０，４０の主切断面において、光学シート３０，４０の他の変形例を示す断面図である。
【００８１】
図１４に示された例では、第１光学シート３０は、その凹部３８内に第１低屈折率部１３８を有し、第２光学シート４０は、その凹部４８内に第２低屈折率部１４８を有している。言い換えると、第１光学シート３０は、隣り合う二つの第１凸部３５の間に配置された第１低屈折率部１３８を有し、第２光学シート４０は、隣り合う二つの第２凸部４５の間に配置された第２低屈折率部１４８を有している。
【００８２】
第１低屈折率部１３８は、第１凸部３５よりも低屈折率の樹脂を用いて形成され、第１低屈折率部１３８と第１凸部３５との界面での反射、とりわけ屈折率差に起因した全反射を引き起こすことを意図されている。同様に、第２低屈折率部１４８は、第２凸部４５よりも低屈折率の樹脂を用いて形成され、第２低屈折率部１４８と第２凸部４５との界面での反射、とりわけ屈折率差に起因した全反射を引き起こすことを意図されている。
【００８３】
他の変形例として、上述した実施の形態では、元像９１が、実物のモデルからなる例を示したが、これに限られず、元像自体が映像として形成された像であってもよい。
【００８４】
さらに他の変形例として、上述した実施の形態では、元像９１からの光Ｌ１が、光学シート３０，４０のベース部３１，４１の側から光学シート３０，４０へ入射する例を示したが、これに限られず、光学シート３０，４０を、元像９１からの光Ｌ１が、光学シート３０，４０のベース部３１，４１と反対の側から、すなわち凸部３５，４５の側から、光学シート３０，４０へ入射するようにしてもよい。
【００８５】
さらに他の変形例として、上述した実施の形態では、光学パネル２０が一つのみ結像装置１０に設けられている例を示したが、これに限られず、二以上の光学パネル２０が設けられていてもよい。このような変形例においては、第１の光学パネルが、元像からの光によって第１の像を形成し、第２の光学パネルが、第１の像をなす光によって第２の像を形成するようにしてもよい。
【００８６】
さらに他の変形例として、上述した実施の形態において、光学パネル２０に含まれた第１光学シート３０及び第２光学シート４０が同一に構成されている例を示したが、これに限られず、第１光学シート３０及び第２光学シート４０が、寸法や形状等の構成において互いに異なっていてもよい。
【００８７】
なお、以上において上述した実施の形態に対するいくつかの変形例を説明してきたが、当然に、複数の変形例を適宜組み合わせて適用することも可能である。
【符号の説明】
【００８８】
１０  結像装置
１５  ケーシング
２０  光学パネル
３０  第１光学シート
３１  第１ベース部
３１ａ  第１支持面
３５  第１凸部
３６  第１反射面
３７  第１対向面
３８  第１凹部
３９  第１凹凸面
４０  第２光学シート
４１  第２ベース部
４１ａ  第２支持面
４５  第２凸部
４６  第２反射面
４７  第２対向面
４８  第２凹部
４９  第２凹凸面
７０  金型
９１  元像
９２  虚像
【図１】
2017126032.tif 000003
【図２】
2017126032.tif 000004
【図３】
2017126032.tif 000005
【図４】
2017126032.tif 000006
【図５】
2017126032.tif 000007
【図６】
2017126032.tif 000008
【図７】
2017126032.tif 000009
【図８】
2017126032.tif 000010
【図９】
2017126032.tif 000011
【図１０】
2017126032.tif 000012
【図１１】
2017126032.tif 000013
【図１２】
2017126032.tif 000014
【図１３】
2017126032.tif 000015
【図１４】
2017126032.tif 000016